(57)【特許請求の範囲】
【請求項１】
前部を開口とする箱型の筐体と、前記開口から前記筐体に出し入れ自在に構成されて収納部品が組み付けられた箱型の台車部とを備えた小型低圧配電盤において、
前記台車部が、底板と、前記底板の前部に取り付けられて前記筐体内に収納された際に前記開口を塞ぐ前面板と、前記底板に連結部を回動中心として倒立可能に取り付けられた側板および背面板とから構成されていることを特徴とする小型低圧配電盤。
【請求項２】
筐体の側面および裏面の少なくとも一面に切り欠きが形成され、台車部が前記筐体内に収納された際に、前記台車部の側板および背面板により前記切り欠きが塞口されるように構成されていることを特徴とする請求項１記載の小型低圧配電盤。
【請求項３】
筐体の裏面に切り欠きが形成され、台車部が前記筐体内に収納された際に、前記台車部の背面板により前記切り欠きが塞口され、かつ、前記背面板に組み付けられた収納部品である冷却装置の一部が前記切り欠きから外部に突出できるように構成されていることを特徴とする請求項１記載の小型低圧配電盤。
【請求項４】
前面板が底板に開閉可能に取り付けられていることを特徴とする請求項１乃至３のいずれかに記載の小型低圧配電盤。
【発明の詳細な説明】
【０００１】
【産業上の利用分野】
この発明は、発電機等の配電もしくは制御に用いる小型の低圧配電盤に関するものである。
【０００２】
【従来の技術】
図９は従来の小型低圧配電盤を示す斜視図であり、図において１は前面を開口１ａとする箱型の筐体、２は筐体１の前面に開閉自在に取り付けられた扉、３は筐体１の底面や内側壁面あるいは扉２の裏面に取り付けられて筐体１内に収納される収納部品であり、これらの収納部品３としては、例えば遮断器、各種制御回路、充電装置、補機制御回路、警報回路、計測回路、自動電圧調整回路等があげられる。
【０００３】
このように構成された小型低圧配電盤は、通常機械部および発電機等の電気部と一緒に一体型の装置として構成され、さらにエンクロージャに収納される場合にひろく用いられるため、物理的な制約が伴う。そのため、限られた筐体１の条件下でその必要とされる機能、性能を実現させるとともに、生産性や保守性を考慮する必要がある。
この小型低圧配電盤に収納部品３を組み付けるには、扉２を開け放ち、筐体１の前部開口１ａから収納部品３を筐体１の底面や内側壁面あるいは扉２の裏面に取り付けている。この時、筐体１内の空間における収納部品３の効率的な配置を考慮し、部品の収納密度を高めている。
さらに、保守点検の際には、扉２を開け放すことにより、筐体１の前部開口１ａから保守点検作業を実施している。
【０００４】
【発明が解決しようとする課題】
従来の小型低圧配電盤は以上のように、筐体１の前部開口１ａから収納部品３の組み付けあるいは保守点検を実施するように構成されている。
そこで、収納部品３を組み付ける際に、筐体１の前部開口１ａから手や顔が入りにくく、筐体１内の底面、側面および裏面に高密度に収納部品３を組み付けにくく、さらに配線ルートの確保も困難となり、作業性が悪くなる。
また、保守点検をする際に、収納部品３の重なり合いも避けられず、奥の収納部品３を点検しようとしても、手前の収納部品３に触れてしまうという危険性がある。このような危険性を回避するために、手前の収納部品３を一旦取り外して奥の収納部品３の点検することもできるが、作業効率が著しく低下してしまうことになる。
このように、従来の小型低圧配電盤では、生産性や保守点検性が悪くなるという課題があった。
【０００５】
この発明は、上記のような課題を解決するためになされたもので、収納部品の収納点数を減らすことなく、生産性および保守点検性を著しく向上させることができる小型低圧配電盤を得ることを目的とする。
【０００６】
【課題を解決するための手段】
この発明の第１の発明に係る小型低圧配電盤は、前部を開口とする箱型の筐体と、開口から筐体に出し入れ自在に構成されて収納部品が組み付けられた箱型の台車部とを備えた小型低圧配電盤において、台車部が、底板と、底板の前部に取り付けられて筐体内に収納された際に開口を塞ぐ前面板と、底板に連結部を回動中心として倒立可能に取り付けられた側板および背面板とから構成されているものである。
【０００７】
また、この発明の第２の発明に係る小型低圧配電盤は、上記第１の発明において、筐体の側面および裏面の少なくとも一面に切り欠きが形成され、台車部が筐体内に収納された際に、台車部の側板および背面板により切り欠きが塞口されるように構成されているものである。
【０００８】
また、この発明の第３の発明に係る小型低圧配電盤は、上記第１の発明において、筐体の裏面に切り欠きが形成され、台車部が筐体内に収納された際に、台車部の背面板により切り欠きが塞口され、かつ、背面板に組み付けられた収納部品である冷却装置の一部が切り欠きから外部に突出できるように構成されているものである。
【０００９】
また、この発明の第４の発明に係る小型低圧配電盤は、上記第１乃至第３の発明のいずれかの発明において、前面板が底板に開閉可能に取り付けられているものである。
【００１０】
【作用】
この発明の第１の発明においては、台車部は筐体から引き出して、側板および背面板を連結部を回動中心として外方に倒すことにより、底板、側板および背面板が平面状に展開される。そこで、収納部品を組み付ける際には、筐体１の狭い前部の開口から手や顔を入れることなく、上方から平面状に展開された底板、側板および背面板上に簡易に収納部品を組み付けられ、さらに部品間に配線を簡易に施すことができる。また、保守点検の際には、筐体１の狭い前部の開口から手や顔を入れることなく、収納部品の重なり合いもなく、上方から平面状に展開された底板、側板および背面板上に組み付けられた収納部品を簡易に、かつ、他の収納部品に触れことなく保守点検がなされる。
【００１１】
また、この発明の第２の発明においては、台車部の構成要素が筐体の一部を兼ね、装置の軽量化が図られる。
【００１２】
また、この発明の第３の発明においては、台車部の構成要素が筐体の一部を兼ね、装置の軽量化が図られる。また、背面板に組み付けられた収納部品である冷却装置の一部が切り欠きから外部に突出できるように構成されているので、冷却装置の一部を筐体外に突出でき、冷却効率が高められる。
【００１３】
また、この発明の第４の発明においては、前面板が底板に開閉可能に取り付けられているので、台車部を筐体内に収納した状態で、前面板を開け放ち、筐体の前部の開口から簡易な保守点検が可能となる。
【００１４】
【実施例】
以下、この発明の実施例を図について説明する。
実施例１．
図１はこの発明の実施例１に係る小型低圧配電盤における台車部の引き出し状態を示す斜視図、図２はこの発明の実施例１に係る小形低圧配電盤の台車部を示す平面図、図３はこの発明の実施例１に係る小形低圧配電盤の台車部を示す展開平面図であり、図において図９に示した従来の小形低圧配電盤と同一または相当部分には同一符号を付し、その説明を省略する。
図において、４は筐体１の相対する内側面にそれぞれ設けられた案内溝、５は案内溝４に案内されて筐体１に引き出し自在に構成された台車部であり、この台車部５は、底板６、前面板７、一対の側板８および背面板９から上部に開口する箱型に構成されている。そして、底板６の両側端面には、それぞれ前後にローラ１０が回転自在に配設され、該ローラ１０が案内溝４に係合して台車部５の出し入れ動作をスムーズにしている。また、前面板７は底板６に一体に取り付けられ、台車部５を筐体１内に挿入した際に前部開口１ａを塞ぎ、筐体１の扉として機能する。さらに、側板８および背面板９はそれぞれ連結部材としての蝶番１１を回動中心として底板６に倒立可能に取り付けられている。１２は側板８および背面板９が底板６上にコ字状に立てられた際に側板８と背面板９とを連結するＬ型金具である。
【００１５】
このように構成された小型低圧配電盤に収納部品３を組み付けるには、まず台車部５を筐体１から引き出す。そして、Ｌ型金具１２の取付ボルト１３を取り外し、側板８および背面板９を蝶番１１を回動中心として外側に倒し平面状に展開する。そこで、底板６、前面板７、側板８およぼ背面板９にそれぞれ収納部品３を取り付け、さらに収納部品３間の配線を行い、図３に示すように、収納部品３の組み付けを行う。
ついで、側板８および背面板９を蝶番１１を回動中心として起立させ、背面板９の上部内縁に取り付けられているＬ型金具１２に取付ボルト１３を通し、側板８のネジ穴８ａに締着して側板８と背面板９とを連結し、図２に示すように、台車部５を組み上げる。
その後、ローラ１０を案内溝４内に嵌め込み、前面板７を押して、台車部５を筐体１内に収納し、小型低圧配電盤が完成する。
【００１６】
ついで、保守点検する場合には、台車部５を筐体１から引き出す。そして、取付ボルト１３を取り外し、側板８および背面板９を平面状に展開して収納部品３の保守点検を行う。その後、側板８および背面板９を起立させ、Ｌ型金具１２を介して取付ボルト１３を締着し、台車部５を筐体１内に収納して、保守点検作業が完了する。
【００１７】
このように、この実施例１によれば、台車部５を構成する側板８および背面板９が底板６に蝶番１１を回動中心として倒立可能に取り付けられているので、収納部品３を組み付ける際に、側板８および背面板９を平面状に展開でき、作業スペースが広くなり、収納部品３の重なり合いもなくなる。そこで、底板６、前面板７、側板８および背面板９に収納部品３を支障なく組み付けられ、収納部品３間の配線も容易にでき、収納部品３の収納点数を減らすことなく、生産性を高めることができる。
また、側板８および背面板９を平面状に展開して保守点検できるので、収納部品３の重なり合いもなくなり、従来装置のように、他の収納部品３に触れたり、障害となる他の収納部品３を一旦取り外す必要もなく、保守点検の作業効率を著しく向上させることができる。
【００１８】
実施例２．
上記実施例１では、一対の側板８，８および背面板９のそれぞれが蝶番１１を回動中心として底板６に倒立可能に取り付けられているものとしているが、この実施例２では、図４に示すように、一方の側板８と背面板９とが蝶番１１を回動中心として底板６に倒立可能に取り付けられ、他方の側板８は背面板９に蝶番１１を回動中心として開閉可能に取り付けられている。ここで、他方の側板８は底板６上にコ字状に立てられた際に底板６に取り付けられたＬ型金具１２にネジ穴８ａに螺着された取付ボルト１３により締着固定される。なお、他の構成は、上記実施例１と同様に構成されている。
【００１９】
この実施例２では、台車部５を筐体１から引き出した状態で、取付ボルト１３を取り外し、一方の側板８と背面板９との連結、および他方の側板８と底板６との連結をそれぞれ解除する。そして、一方の側板８を蝶番１１を回動中心として外方に倒す。ついで、他方の側板８を蝶番１１を回動中心として背面板９と同一面となるように開き、さらに背面板９を蝶番１１を回動中心として外方に倒し、図５に示すように、側板８および背面板９が平面状に展開される。
そこで、この実施例２においても、上記実施例１と同様の効果が得られる。
【００２０】
実施例３．
この実施例３では、図６に示すように、底板６の前縁部の一端に支持片１４を配設し、前面板７の内面に突設した突出片１５を該支持片１４に軸１６によって回転可能に支持して、前面板７が底板６に開閉可能に取り付けられている。なお、他の構成は、上記実施例１と同様に構成されている。
【００２１】
この実施例３によれば、上記実施例１と同様に、側板８および背面板９が底板６に平面状に展開可能に取り付けられているので、上記実施例１と同様の効果が得られる。
また、この実施例３によれば、前面板７が底板６に開閉可能に取り付けられているので、簡単な保守点検作業の際には、台車部５を筐体１内に収納した状態で前面板７を開け放ち、筐体１の前部開口１ａから保守点検できるようになり、保守点検性を一層向上させることができる。
【００２２】
なお、上記実施例３では、前面板７が底板６に片持ちの支持部で回転可能に支持されているものとしているが、前面板７の支持構造はこれに限定されるものではなく、前面板７が前部開口１ａを開閉できるように底板６に装着されていればよい。
【００２３】
実施例４．
この実施例４では、図７に示すように、一対のガイドレール１７が筐体１の底部に台車部５の出し入れ方向に平行に延設され、台車部５の底板６の裏面側にガイドレール１７上を走行する車輪（図示せず）が設けられ、さらに筐体１の側面部に切り欠き１８が設けられている。なお、他の構成は、上記実施例１と同様に構成されている。
【００２４】
この実施例４によれば、上記実施例１と同様に、側板８および背面板９が底板６に平面状に展開可能に取り付けられているので、上記実施例１と同様の効果が得られる。
また、この実施例４では、底板６の裏面に設けられた車輪がガイドレール１７上を走行して台車部５の出し入れが行われるので、上記実施例１のように、底板６の側端面に突設されたローラ１０や筐体１の内側面に設けられた案内溝４が不要となる。そして、底板６を筐体１の内側面まで拡張し、側板８を底板６の縁部に取り付けることにより、台車部５を筐体１内に収納した際に、側板８が切り欠き１８を塞いで筐体１の一部を兼ねるようになる。そこで、筐体１に切り欠き１８を設けた分、小型低圧配電盤の重量を軽減することができる。
【００２５】
実施例５．
この実施例５では、図８に示すように、筐体１の後面部に切り欠き１９を設け、底板６を筐体１の背面側まで拡張し、背面板９を底板６の縁部に取り付け、台車部５を筐体１内に収納した際に、背面板９が切り欠き１９を塞いで筐体１の一部を兼ねるようにしている。さらに、収納部品３の冷却装置２０を切り欠き１９から外方に突き出すように背面板９に組み付けている。なお、他の構成は、上記実施例４と同様に構成されている。
【００２６】
この実施例５によれば、上記実施例４と同様に、側板８および背面板９が底板６に平面状に展開可能に取り付けられ、背面板９が切り欠き１９を塞いで筐体１の一部を兼ねるようにしているので、上記実施例４と同様の効果が得られる。
また、この実施例５では、冷却装置２０を切り欠き１９から外方に突き出しているので、冷却効率を向上させることができる。
【００２７】
【発明の効果】
この発明は、以上のように構成されているので、以下に記載されるような効果を奏する。
【００２８】
この発明の第１の発明によれば、台車部が、底板と、底板の前部に取り付けられて筐体内に収納された際に開口を塞ぐ前面板と、底板に連結部を回動中心として倒立可能に取り付けられた側板および背面板とから構成されているので、台車部を筐体から引き出した状態で台車部の側面および背面板を平面状に展開でき、収納部品の組み付けおよび保守点検の作業性が高められ、収納部品の収納点数を減らさず、生産性および保守点検性に優れた小型低圧配電盤が得られる。
【００２９】
また、この発明の第２の発明によれば、上記第１の発明において、筐体の側面および裏面の少なくとも一面に切り欠きが形成され、台車部が筐体内に収納された際に、台車部の側板および背面板により切り欠きが塞口されるように構成されているので、台車部の構成要素が筐体の一部を兼ね、その分装置の軽量化が図られる。
【００３０】
また、この発明の第３の発明によれば、上記第１の発明において、筐体の裏面に切り欠きが形成され、台車部が筐体内に収納された際に、台車部の背面板により切り欠きが塞口され、かつ、背面板に組み付けられた収納部品である冷却装置の一部が切り欠きから外部に突出できるように構成されているので、台車部の構成要素が筐体の一部を兼ね、その分装置の軽量化が図られるとともに、収納部品として冷却装置を用いる場合、その冷却効率を高めることができる。
【００３１】
また、この発明の第４の発明によれば、上記第１乃至第３の発明のいずれかの発明において、前面板が底板に開閉可能に取り付けられているので、台車部を筐体に収納した状態で前面板を開けることにより、筐体の前部の開口から簡易な保守点検が行え、保守点検性を一層向上させることができる。
【図面の簡単な説明】
【図１】この発明の実施例１に係る小型低圧配電盤における台車部の引き出し状態を示す斜視図である。
【図２】この発明の実施例１に係る小形低圧配電盤の台車部を示す平面図である。
【図３】この発明の実施例１に係る小形低圧配電盤の台車部を示す展開平面図である。
【図４】この発明の実施例２に係る小形低圧配電盤の台車部を示す平面図である。
【図５】この発明の実施例２に係る小形低圧配電盤の台車部を示す展開平面図である。
【図６】この発明の実施例３に係る小型低圧配電盤の前面板開放状態を示す斜視図である。
【図７】この発明の実施例４に係る小型低圧配電盤における台車部の引き出し状態を示す斜視図である。
【図８】この発明の実施例５に係る小型低圧配電盤を示す一部破断上面図である。
【図９】従来の小型低圧配電盤の扉開放状態を示す斜視図である。
【符号の説明】
１  筐体、１ａ  開口、３  収納部品、５  台車部、６  底板、７  前面板、８  側板、９  背面板、１１  蝶番（連結部）、１８、１９  切り欠き、２０  冷却装置（収納部品）。
【図１】
0003614209.tif 000002
【図２】
0003614209.tif 000003
【図３】
0003614209.tif 000004
【図４】
0003614209.tif 000005
【図５】
0003614209.tif 000006
【図６】
0003614209.tif 000007
【図７】
0003614209.tif 000008
【図８】
0003614209.tif 000009
【図９】
0003614209.tif 000010